【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
コンテンツデータを記憶可能なメモリ装置を接続可能な転送装置であって：
前記メモリ装置と前記転送装置とが接続されている接続状態であるか否かを検出する接続状態検出部と；
前記メモリ装置への転送候補のコンテンツデータが前記転送装置の記憶媒体に記憶されている転送候補記憶状態であるか否かを検出する記憶状態検出部と；
前記転送装置がユーザにより設定時間以上操作されていない非操作状態であるか否かを検出する非操作状態検出部と；
前記接続状態検出部により前記接続状態が検出され、かつ前記記憶状態検出部により前記転送候補記憶状態が検出され、かつ前記非操作状態検出部により前記非操作状態が検出されると、前記転送候補のコンテンツデータを前記メモリ装置に自動転送する転送部と；
を備えることを特徴とする、転送装置。
【請求項２】
前記非操作状態検出部は、ユーザの転送装置に対する最終操作時点から、ユーザにより前記転送装置が操作されることなく前記設定時間以上が経過したか否かに基づいて前記非操作状態を検出することを特徴とする、請求項１に記載の転送装置。
【請求項３】
前記転送部は、前記メモリ装置と前記転送装置とが接続されたときに、前記記憶状態検出部により前記転送候補記憶状態が検出され、かつ前記非操作状態検出部により前記非操作状態が検出されていることを確認すると、直ちに前記転送候補のコンテンツデータを前記メモリ装置に自動転送することを特徴とする、請求項２に記載の転送装置。
【請求項４】
前記転送部は、前記メモリ装置への転送候補のコンテンツデータが前記転送装置の記憶媒体に記憶されたときに、前記接続状態検出部により前記接続状態が検出され、かつ前記非操作状態検出部により前記非操作状態が検出されていることを確認すると、直ちに前記転送候補のコンテンツデータを前記メモリ装置に自動転送することを特徴とする、請求項２に記載の転送装置。
【請求項５】
前記非操作状態検出部は、前記接続状態検出部が前記接続状態を検出した時点から、ユーザにより前記転送装置が操作されることなく前記設定時間以上が経過したか否かに基づいて前記非操作状態を検出することを特徴とする、請求項１に記載の転送装置。    
【請求項６】
前記非操作状態検出部は、前記記憶状態検出部が前記転送候補記憶状態を検出した時点から、ユーザにより前記転送装置が操作されることなく前記設定時間以上が経過したか否かに基づいて前記非操作状態を検出することを特徴とする、請求項１に記載の転送装置。
【請求項７】
前記非操作状態検出部は、前記接続状態検出部により前記接続状態が検出され、かつ前記記憶状態検出部により前記転送候補記憶状態が検出された時点から、ユーザにより前記転送装置が操作されることなく前記設定時間以上が経過したか否かに基づいて前記非操作状態を検出することを特徴とする、請求項１に記載の転送装置。
【請求項８】
前記非操作状態検出部は、所定の基点からの時間を計時するタイマーを備え、前記タイマーの計時情報に基づいて前記非操作状態を検出することを特徴とする、請求項１に記載の転送装置。
【請求項９】
前記タイマーの計時情報に基づいて、表示部に表示するための前記設定時間の経過までのカウントダウン情報を生成する表示情報生成部をさらに備えることを特徴とする、請求項８に記載の転送装置。
【請求項１０】
前記非操作状態検出部は、所定の基点の時刻を記録し、現在の時刻と前記記憶した時刻との差分が前記設定時間以上になったときに前記非操作状態を検出することを特徴とする、請求項１に記載の転送装置。
【請求項１１】
前記非操作状態検出部は、スクリーンセーバーの起動に基づいて、ユーザが前記転送装置を設定時間以上操作していない状態を検出することを特徴とする、請求項１に記載の転送装置。
【請求項１２】
前記設定時間をユーザ操作に基づいて設定する時間設定部をさらに備えることを特徴とする、請求項１に記載の転送装置。
【請求項１３】
前記時間設定部は、コンテンツデータの属性に応じて相異なる設定時間を設定することを特徴とする、請求項１に記載の転送装置。
【請求項１４】
コンテンツデータを記憶可能なメモリ装置と、前記メモリ装置を接続可能な転送装置とを含む転送システムであって：
前記転送装置は、
前記メモリ装置と前記転送装置とが接続されている接続状態であるか否かを検出する接続状態検出部と；
前記メモリ装置への転送候補のコンテンツデータが前記転送装置の記憶媒体に記憶されている転送候補記憶状態であるか否かを検出する記憶状態検出部と；
前記転送装置がユーザにより設定時間以上操作されていない非操作状態であるか否かを検出する非操作状態検出部と；
前記接続状態検出部により前記接続状態が検出され、かつ前記記憶状態検出部により前記転送候補記憶状態が検出され、かつ前記非操作状態検出部により前記非操作状態が検出されると、前記転送候補のコンテンツデータを前記メモリ装置に自動転送する転送部と；
を備え、
前記メモリ装置は、
前記転送部から自動転送されたコンテンツデータを受信する受信部と；
前記コンテンツデータを記憶する記憶部と；
を備えることを特徴とする、転送システム。
【請求項１５】
コンピュータを、
コンテンツデータを記憶可能なメモリ装置を接続可能な転送装置であって、
前記メモリ装置と前記転送装置とが接続されている接続状態であるか否かを検出する接続状態検出部と；
前記メモリ装置への転送候補のコンテンツデータが前記転送装置の記憶媒体に記憶されている転送候補記憶状態であるか否かを検出する記憶状態検出部と；
前記転送装置がユーザにより設定時間以上操作されていない非操作状態であるか否かを検出する非操作状態検出部と；
前記接続状態検出部により前記接続状態が検出され、かつ前記記憶状態検出部により前記転送候補記憶状態が検出され、かつ前記非操作状態検出部により前記非操作状態が検出されると、前記転送候補のコンテンツデータを前記メモリ装置に自動転送する転送部と；
を備える転送装置として機能させるためのプログラム。
【請求項１６】
コンピュータを、
コンテンツデータを記憶可能なメモリ装置と、前記メモリ装置を接続可能な転送装置とを含む転送システムであって、
前記転送装置は、
前記メモリ装置と前記転送装置とが接続されている接続状態であるか否かを検出する接続状態検出部と；
前記メモリ装置への転送候補のコンテンツデータが前記転送装置の記憶媒体に記憶されている転送候補記憶状態であるか否かを検出する記憶状態検出部と；
前記転送装置がユーザにより設定時間以上操作されていない非操作状態であるか否かを検出する非操作状態検出部と；
前記接続状態検出部により前記接続状態が検出され、かつ前記記憶状態検出部により前記転送候補記憶状態が検出され、かつ前記非操作状態検出部により前記非操作状態が検出されると、前記転送候補のコンテンツデータを前記メモリ装置に自動転送する転送部と；
を備え、
前記メモリ装置は、
前記転送部から自動転送されたコンテンツデータを受信する受信部と；
前記コンテンツデータを記憶部に記録する記録部と；
を備える転送システムとして機能させるためのプログラム。
【請求項１７】
コンテンツデータを記憶可能なメモリ装置を接続可能な転送装置における転送方法であって：
前記メモリ装置と前記転送装置とが接続されている接続状態であるか否かを検出するステップと；
前記メモリ装置への転送候補のコンテンツデータが前記転送装置の記憶媒体に記憶されている転送候補記憶状態であるか否かを検出するステップと；
前記転送装置がユーザにより設定時間以上操作されていない非操作状態であるか否かを検出するステップと；
前記接続状態が検出され、かつ前記転送候補記憶状態が検出され、かつ前記非操作状態が検出されると、前記転送候補のコンテンツデータを前記メモリ装置に自動転送するステップと；
を含むことを特徴とする、転送方法。
【請求項１８】
コンテンツデータを記憶可能なメモリ装置と、前記メモリ装置を接続可能な転送装置とにおける転送方法であって：
前記メモリ装置と前記転送装置とが接続されている接続状態であるか否かを検出するステップと；
前記メモリ装置への転送候補のコンテンツデータが前記転送装置の記憶媒体に記憶されている転送候補記憶状態であるか否かを検出するステップと；
前記転送装置がユーザにより設定時間以上操作されていない非操作状態であるか否かを検出するステップと；
前記接続状態が検出され、かつ前記転送候補記憶状態が検出され、かつ前記非操作状態が検出されると、前記転送候補のコンテンツデータを前記メモリ装置に自動転送するステップと；
前記自動転送されたコンテンツデータを前記メモリ装置が受信するステップと；
前記コンテンツデータを前記メモリ装置において記憶するステップと；
を含むことを特徴とする、転送方法。